(57)【特許請求の範囲】
【請求項１】
前方開口状の外枠１と、該外枠１内に差込まれる複数の引出し２と、から成るキャビネットであって、上記外枠１は、外枠本体３４と、該外枠本体３４の内側面に高さ調整可能に取付けられると共に上記引出し２を前後スライド自在に受けるレールＲと、上記外枠本体３４の内側面に高さ調整可能に取付けられると共に上記レールＲを下方から支持するレール受部材１１と、から成り、上記引出し２は仮施錠用の揺動爪部材１０を有し、上記外枠１の上記レール受部材１１に、上記引出し２の揺動爪部材１０が係脱自在に係止する係止部５０を、設けたことを特徴とするキャビネット。
【請求項２】
前方開口状の外枠１と、該外枠１内に前後スライド可能に差込まれる複数の引出し２と、から成るキャビネットであって、上記外枠１は、外枠本体３４と、該外枠本体３４の内側面に高さ調整可能に取付けられると共に上記引出し２を前後スライド自在に受けるレールＲと、上記外枠本体３４の内側面に高さ調整可能に取付けられると共に上記レールＲを下方から支持するレール受部材１１と、から成り、上記引出し２は、収納凹所３を有する引出し本体部４と、該引出し本体部４の前面に横幅方向に取付けられる手掛け部５と、から成り、該手掛け部５は、上記引出し本体部４の前面壁部６に固着される鉛直壁部７と該鉛直壁部７の上端縁から手前へ突設された庇状壁部８とから成る取付枠１８と、該取付枠１８内に左右方向の水平軸心Ｌ１  廻りに揺動自在に取付けられると共に上記引出し本体部４に挿入される横倒Ｌ字状の揺動力伝達部１７を有する揺動操作部材９と、を備え、さらに、上記引出し本体部４に、下端に爪部２９を有すると共に上記揺動操作部材９の上記揺動力伝達部１７の揺動に連動して揺動する揺動爪部材１０を、鉛直軸心Ｌ２  廻りに揺動自在に取付けて、上記揺動操作部材９の揺動操作により、上記揺動爪部材１０が上記レール受部材１１に設けられた係止部５０に係脱自在に係止するように、構成したことを特徴とするキャビネット。
【請求項３】
手掛け部５の鉛直壁部７に、該手掛け部５を引出し本体部４の前面壁部６に取付けるためのねじ部材１９のねじ軸部２０を挿通するねじ挿通孔２１を貫設し、かつ、該手掛け部５の庇状壁部８の上記ねじ挿通孔２１に対応する位置に上記ねじ部材１９が通過可能とされると共に該ねじ部材１９を回転させる作業工具が挿通可能な貫孔２２を、設けた請求項２記載のキャビネット。
【発明の詳細な説明】
【０００１】
【発明の属する技術分野】
本発明は、キャビネットに関する。
【０００２】
【従来の技術】
従来、引出しを仮施錠するロック機構を備えたキャビネットとしては、引出しの前面に、ロック用の爪部が一体に形成された揺動操作部材が上下揺動自在に取付けられ、かつ、引出しが差し込まれる前方開口状の外枠の内側面に、揺動操作部材の爪部に係止するピンを固着したものが公知であった。
【０００３】
【発明が解決しようとする課題】
しかし、上述のように外枠にピンを固着したものでは、製造時に、引出しの上下高さ寸法及び差込み高さ位置に合わせてピンを固着するので、製造後はピンの位置を変更できず、引出しの段数や差込み位置を変えることができなかった。また、ロック機構の構成部品を引出し本体部に取付け難いという問題があった。
【０００４】
そこで、本発明は、上述の問題を解決して、引出しの段数や差込み位置を変更できるキャビネットを提供することを目的とする。また、容易に組立てることができると共に、引出しとしての使用に耐え得る十分な強度が得られるキャビネットを提供することを目的とする。
【０００５】
【課題を解決するための手段】
上述の目的を達成するために本発明に係るキャビネットは、前方開口状の外枠と、該外枠内に差込まれる複数の引出しと、から成るキャビネットであって、上記外枠は、外枠本体と、該外枠本体の内側面に高さ調整可能に取付けられると共に上記引出しを前後スライド自在に受けるレールと、上記外枠本体の内側面に高さ調整可能に取付けられると共に上記レールを下方から支持するレール受部材と、から成り、上記引出しは仮施錠用の揺動爪部材を有し、上記外枠の上記レール受部材に、上記引出しの揺動爪部材が係脱自在に係止する係止部を、設けたものである。
【０００６】
また、前方開口状の外枠と、該外枠内に前後スライド可能に差込まれる複数の引出しと、から成るキャビネットであって、上記外枠は、外枠本体と、該外枠本体の内側面に高さ調整可能に取付けられると共に上記引出しを前後スライド自在に受けるレールと、上記外枠本体の内側面に高さ調整可能に取付けられると共に上記レールを下方から支持するレール受部材と、から成り、上記引出しは、収納凹所を有する引出し本体部と、該引出し本体部の前面に横幅方向に取付けられる手掛け部と、から成り、該手掛け部は、上記引出し本体部の前面壁部に固着される鉛直壁部と該鉛直壁部の上端縁から手前へ突設された庇状壁部とから成る取付枠と、該取付枠内に左右方向の水平軸心廻りに揺動自在に取付けられると共に上記引出し本体部に挿入される横倒Ｌ字状の揺動力伝達部を有する揺動操作部材と、を備え、さらに、上記引出し本体部に、下端に爪部を有すると共に上記揺動操作部材の上記揺動力伝達部の揺動に連動して揺動する揺動爪部材を、鉛直軸心廻りに揺動自在に取付けて、上記揺動操作部材の揺動操作により、上記揺動爪部材が上記レール受部材に設けられた係止部に係脱自在に係止するように、構成したものである。
【０００７】
また、手掛け部の鉛直壁部に、該手掛け部を引出し本体部の前面壁部に取付けるためのねじ部材のねじ軸部を挿通するねじ挿通孔を貫設し、かつ、該手掛け部の庇状壁部の上記ねじ挿通孔に対応する位置に上記ねじ部材が通過可能とされると共に該ねじ部材を回転させる作業工具が挿通可能な貫孔を、設けるのが好ましい。
【０００８】
【発明の実施の形態】
以下、図示の実施の形態に基き本発明を詳説する。
【０００９】
図７は本発明に係るキャビネットの実施の一形態を示し、このキャビネットは、前方開口状の外枠１と、その外枠１内に前後スライド可能に差込まれる複数の引出し２…と、から成り、オフィス、工場、作業場、検査場、研究室等にて種々の書類、事務用品、小物等を収納するためのものである。
【００１０】
しかして、図１と図２に示すように、引出し２は、上方開口状の収納凹所３を有する引出し本体部４と、その引出し本体部４の前面に横幅方向に取付けられる手掛け部５と、から成る。手掛け部５は、引出し本体部４の前面壁部６に固着される鉛直壁部７と該鉛直壁部７の上端縁から手前へ突設された庇状壁部８とから成る取付枠１８と、取付枠１８内に左右方向の水平軸心Ｌ１  廻りに揺動自在に取付けられる揺動操作部材９と、を備える。
【００１１】
取付枠１８の庇状壁部８は、鉛直壁部７の上端縁に一体に形成される水平部１２と、その水平部１２の前端縁に形成される前方下傾部１３と、から成る。前方下傾部１３の前面側の上下両端部には、対向状係止片部１６，  １６が突設され、その係止片部１６，  １６の間に内容物表示帯材１５を差し込む。
【００１２】
さらに、図１と図３に示すように、鉛直壁部７に、手掛け部５を引出し本体部４の前面壁部６に取付けるためのねじ部材１９のねじ軸部２０を挿通するねじ挿通孔２１を貫設する。そして、引出し本体部４の前面壁部６に、ねじ挿通孔２１に連通するねじ孔２３を形成する。具体的には、前面壁部６に小孔を開けると共にナットを溶着する。かつ、手掛け部５の庇状壁部８のねじ挿通孔２１に対応する位置にねじ部材１９が通過可能とされると共にねじ部材１９を回転させる作業工具が挿通可能な貫孔２２を、設ける。また、取付枠１８内の左右両端部近傍に、揺動操作部材９を枢支するための枢支部１４，  １４を形成する。
【００１３】
また、図１と図２と図３に示すように、揺動操作部材９は、取付枠１８の横方向の長さ寸法よりもやや短く形成され、指を掛けるための前方下傾部２４と、その上端縁に形成される水平帯部２５と、水平帯部２５の一端に固着される第２枢支片部２８と、水平帯部２５の他端を上方へ折り曲げて形成される第１枢支片部２７と、から成り、第１枢支片部２７と第２枢支片部２８が取付枠１８の枢支部１４，  １４に水平軸心Ｌ１  廻りに揺動自在に枢着される。
【００１４】
しかして、第２枢支片部２８に倒立Ｌ字状の揺動力伝達部１７を後方突出状となるように一体に形成し、その揺動力伝達部１７を引出し本体部４に挿入する。つまり、揺動操作部材９は、引出し本体部４に挿入される倒立Ｌ字状の揺動力伝達部１７を有する。具体的には、手掛け部５の取付枠１８の鉛直壁部７と、引出し本体部４の前面壁部６に、窓部を形成して、その窓部に揺動力伝達部１７を挿通する。
【００１５】
また、引出し本体部４に、下端に爪部２９を有すると共に揺動操作部材９の揺動力伝達部１７の揺動に連動して揺動する仮施錠用の揺動爪部材１０を、鉛直軸心Ｌ２  廻りに揺動自在に取付ける。揺動爪部材１０は、倒立Ｌ字杆３０と、その倒立Ｌ字杆３０の下部に溶着されると共に後方延伸状の爪部２９を有する側面視Ｌ字状の爪部形成片３１と、から成る。爪部２９は、係止面５１と誘導傾斜面５２を有し、引出し本体部４の下方に配置される。しかして、引出し本体部４の前面壁部６の左右方向一端寄りの後面に枢支片３２を固着し、その枢支片３２に、揺動爪部材１０の倒立Ｌ字杆３０の鉛直部を枢着する。さらに、倒立Ｌ字杆３０の鉛直部に、揺動爪部材１０をロックする揺動方向（図２の矢印Ａ方向）へ常時弾発付勢する弾発部材３３を取付ける。
【００１６】
また、図１と図２と図４に示すように、外枠１は、外枠本体３４と、外枠本体３４の内側面に高さ調整可能に取付けられると共に引出し２を前後スライド自在に受けるレールＲと、外枠本体３４の内側面に高さ調整可能に取付けられると共にレールＲを下方から支持するレール受部材１１と、から成る。外枠本体３４は、横断面形状がコの字状とされ、かつ、上下方向全体にわたる内側方突条部３５を、左右両側壁の内面に有する。具体的には、一部が内側方突条部３５を成すように金属板を折り曲げて、その金属板を外枠本体３４の内側面に固着する。その内側方突条部３５に、レールＲとレール受部材１１を係脱自在に係止するための角窓部３６…を、上下方向所定ピッチにて開設する。
【００１７】
次に、レールＲは、横断面略Ｃ型の外レール３７と、その外レール３７内に挿入される内レール３８と、内レール３８に枢着される複数のローラ３９…と、から成る。ローラ３９…は、外レール３７の上下内面又は引出し２の左右両側面に形成されたスライド支持片４１の上下面に転動自在に当接する。
【００１８】
外レール３７には、倒立Ｌ字状の係止片部４２，  ４２が突設され、その係止片部４２，  ４２を外枠１の内側方突条部３５の角窓部３６，３６に係止する。また、レール受部材１１は、レールＲを受ける水平部４３と、その水平部４３の内側端縁に形成される起立片部４４と、水平部４３の前後両端縁に形成される垂下片４５，  ４５と、垂下片４５，  ４５の下端縁に対向状に形成される当接片４６，  ４６と、垂下片４５，  ４５の外側端縁を側外方へ延伸して成る前後支持片４７と、水平部４３の外側端縁に形成される倒立Ｌ字状の係止片部４８と、から成る。
【００１９】
しかして、レール受部材１１の係止片部４８を外枠１の内側方突条部３５の角窓部３６に係止させ、かつ、当接片４６，  ４６を突条部３５の側内方端面に当接させる。かつ、前後支持片４７，  ４７を突条部３５の前後面に当接乃至近接させる。即ち、突条部３５を前後支持片４７，  ４７にて前後から挾持状とする。しかして、引出し２の揺動操作部材９及び揺動爪部材１０と、外枠１のレール受部材１１の係止部５０にて、仮施錠用のロック機構が構成される。
【００２０】
上述のように構成したことにより、図５に示すように、引出し２の手掛け部５の下方から指を挿入して揺動操作部材９を手前（前方）へ引けば、揺動操作部材９が第１水平軸心Ｌ１  廻りに揺動し、揺動操作部材９の揺動力伝達部１７が矢印Ｂ方向へ揺動する。これにより、図６に示すように、揺動爪部材１０が矢印Ｃ方向へ揺動して、爪部２９が、レール受部材１１の係止部５０から離脱ロック解除状態となり、引出し２を前方へ引き出すことができる。また、揺動操作部材９から指を離せば、揺動操作部材９と揺動爪部材１０がロック状態の位置に戻る。また、引出し２を外枠１に差し込む際は、揺動爪部材１０の誘導傾斜面５２がレール受部材１１に摺接して、その後、自動的に仮施錠される。
【００２１】
しかして、このキャビネットによれば、レール受部材１１及びレールＲの高さ位置を容易に調整でき、しかも、レール受部材１１に仮施錠用の係止部５０が形成されているので、引出し２の段数や差込み高さを簡単に変更することができる。即ち、引出し２の高さ寸法が異なるもの───収納凹所３の深さ寸法が異なるもの───に容易に変更できる。また、段数が相違する複数のキャビネットに関して、外枠１を共通部品化することができ、大量生産に好適である。また、外枠１の外枠本体３４とレールＲとして、仮施錠用のロック機構を有していない既存のキャビネットの部品と共用できる。
【００２２】
また、このキャビネットの製造時に、手掛け部５の取付枠１８の前方下傾部１３の貫孔２２から、取付用のねじ部材１９を挿入し、かつ、作業工具の先端部を挿入して、ねじ部材１９を螺入させることにより、引出し２の引出し本体部４に手掛け部５を容易かつ強固に取付けることができる。そして、組立作業が容易となり、量産に貢献できる。かつ、引出し２の強度が大きくなる。また、貫孔２２を内容物表示帯材１５にて隠すことができるので、外観上の問題は発生しない。
【００２３】
さらに、レール受部材１１の前後支持片４７，  ４７が突条部３５の前後面に近接乃至当接するので、ロック状態で引出し２が前方へ引っ張られても、突条部３５からレール受部材１１が不意に外れなくなる。また、揺動爪部材１０の爪部２９が、引出し本体部４の下方に配置されるので、引出し２を手前に引いたときに、爪部２９に衣服等が引っ掛かる虞れがない。
【００２４】
なお、本発明は上述の実施の形態に限定されず、例えば、引出し２の左右方向幅寸法が大きい場合は、引出し本体部４の左右両端部に揺動爪部材１０を配設するのが好ましい。そのようにすれば、引出し２の仮施錠がより確実となる。
【００２５】
【発明の効果】
本発明は上述の構成により、次のような著大な効果を奏する。
【００２６】
請求項１記載のキャビネットによれば、レール受部材１１及びレールＲの高さ位置を容易に調整でき、しかも、レール受部材１１に仮施錠用の係止部５０が形成されているので、引出し２の段数や差込み高さを簡単に変更することができる。また、段数が相違するキャビネットに関して、外枠１を共通部品化することができ、大量生産に好適である。
【００２７】
また、請求項２記載のキャビネットによれば、引出し２の段数や差込み高さを簡単に変更することができる。かつ、段数が相違するキャビネットに関して、外枠１を共通部品化することができ、大量生産に好適である。また、揺動爪部材１０の爪部２９を、引出し本体部４の下方に配置できるので、引出し２を手前に引いたときに、爪部２９に衣服等が引っ掛かる虞れがない。
【００２８】
また、請求項３記載のキャビネットによれば、製造時に、手掛け部５の取付枠１８の前方下傾部１３の貫孔２２から、取付用のねじ部材１９を挿入し、かつ、作業工具の先端部を挿入して、ねじ部材１９を螺入させることにより、引出し２の引出し本体部４に手掛け部５を容易かつ強固に取付けることができる。そして、組立作業が容易となり、量産に貢献できる。かつ、引出し２の強度が大きくなる。また、庇状壁部８に内容物表示帯材１５を取付ければ、貫孔２２を隠すことができるので、外観上の問題は発生しない。
【図面の簡単な説明】
【図１】本発明の実施の一形態を示す要部断面側面図である。
【図２】要部断面平面図である。
【図３】要部断面平面図である。
【図４】要部断面正面図である。
【図５】要部作用説明図である。
【図６】要部作用説明図である。
【図７】全体斜視図である。
【符号の説明】
１  外枠
２  引出し
３  収納凹所
４  引出し本体部
５  手掛け部
６  前面壁部
７  鉛直壁部
８  庇状壁部
９  揺動操作部材
１０    揺動爪部材
１１    レール受部材
１７    揺動力伝達部
１８    取付枠
１９    ねじ部材
２０    ねじ軸部
２１    ねじ挿通孔
２２    貫孔
２９    爪部
３４    外枠本体
５０    係止部
Ｌ１      水平軸心
Ｌ２      鉛直軸心
Ｒ  レール
【図１】
0003599521.tif 000002
【図２】
0003599521.tif 000003
【図３】
0003599521.tif 000004
【図４】
0003599521.tif 000005
【図５】
0003599521.tif 000006
【図６】
0003599521.tif 000007
【図７】
0003599521.tif 000008